(57)【特許請求の範囲】
【請求項１】
入力されたコンテンツ情報が記憶される記憶部と、前記コンテンツ情報に基づくコンテンツが表示される表示部と、前記表示部における入力操作を検知する入力検知部と、前記入力検知部による検知結果に基づいて前記表示部にコンテンツを表示する制御部とを備えた表示装置において、
前記制御部は、
前記記憶部に記憶された複数のコンテンツ情報に対して選択操作を行うためのコンテンツ選択操作部と、
前記コンテンツ選択操作部における選択結果に基づき、表示対象となるコンテンツ情報を選択するコンテンツ選択部と、
前記コンテンツ選択部で選択された表示対象となるコンテンツ情報を前記表示部に表示するコンテンツ表示制御部と、を備え、
前記コンテンツ選択操作部は、
前記記憶部に記憶されたコンテンツ情報の総ページ数を示すインジケータを表示するインジケータ表示部を備え、
前記コンテンツ表示制御部は、
前記記憶部に記憶されたコンテンツ情報の量に応じて前記インジケータのコンテンツ情報を表示する表示領域を変化させ、
前記インジケータ表示部に表示された前記総ページ数における選択されたコンテンツの位置を特定表示するように構成されることを特徴とする表示装置。
【請求項２】
前記コンテンツ表示制御部は、前記インジケータに前記選択されたコンテンツのページ数を表示するとともに、前記総ページ数に対応して所定の間隔で形成された前記インジケータの目盛りによりページ数を表示することを特徴とする請求項１に記載の表示装置。
【請求項３】
前記コンテンツ選択操作部は、選択されたコンテンツに基づく縮小されたプレビュー画像が表示される縮小画像表示部を備え、
前記コンテンツ表示制御部は、選択されたコンテンツに基づく縮小されたプレビュー画像を表示するように構成されることを特徴とする請求項１または２に記載の表示装置。
【請求項４】
前記コンテンツ選択操作部は、前記表示部においてタッチ操作が検知されたときに前記インジケータを表示するように構成されることを特徴とする請求項１から３のうち何れか一項に記載の表示装置。
【請求項５】
前記コンテンツ選択操作部は、前記表示部においてタッチ操作が検知された位置に応じてインジケータを表示する位置を特定するように構成されることを特徴とする請求項１から４のうち何れか一項に記載の表示装置。
【請求項６】
前記表示装置は、複数の表示部より構成されるマルチディスプレイを備えることを特徴とする請求項１から５のうちの何れか一項に記載の表示装置。
【請求項７】
前記コンテンツ選択操作部は、前記マルチディスプレイおいてタッチ操作が検知された位置に応じてプレビューウィンドウまたはインジケータを表示するように構成されることを特徴とする請求項６に記載の表示装置。
【請求項８】
記憶部に記憶されたコンテンツ情報に基づいて表示部にコンテンツを表示する表示装置を制御するプログラムであって、
コンピュータに、
前記記憶部に記憶された複数のコンテンツ情報に対して選択操作を行う機能と、
前記複数のコンテンツ情報に対する選択結果に基づき、表示対象となるコンテンツを選択する機能と、
前記表示対象となるコンテンツを前記表示部に表示する機能と、
前記記憶部に記憶されたコンテンツ情報の総ページ数を示すインジケータを表示する機能と、
前記記憶部に記憶されたコンテンツ情報の量に応じて前記インジケータのコンテンツ情報を表示する表示領域を変化させる機能と、
前記インジケータに表示された前記総ページ数における選択されたコンテンツの位置を特定表示する機能と、
を実現させるためのプログラム。
【発明の詳細な説明】
【技術分野】
【０００１】
本発明は、表示画面にコンテンツ等の画像を表示する表示装置およびプログラムに関する。
【背景技術】
【０００２】
近年、コンピュータやＡＶ装置などコンテンツを表示する様々な表示装置において、大画面化が進んでいる。
【０００３】
大画面の表示装置を用いてプレゼンテーションや会議を行う場合、例えば、記憶部から特定のコンテンツ（画像）を呼び出して表示する場合、記憶部に蓄積されている複数のコンテンツ情報の中から特定のコンテンツを探し出す必要があり、いわゆるページ送り／戻し操作により、画面上に表示されたコンテンツを送りながら目的のコンテンツを探し出して表示することが知られている。
【０００４】
しかしながら、大画面上でタッチ操作によりページ送り／戻し操作を行いながら所望のコンテンツを探し出すことは、記憶部に蓄積されたコンテンツ情報が多い場合には手間が掛かかるため、プレゼンテーションや会議等の進行や討論等に影響を及ぼすという問題が生じている。
【０００５】
そこで、ページ送り操作に関する従来技術として、例えば、電子書籍表示装置において、タブレット端末によりページ送り操作を行う場合は、端に１ページと最終ページ数を表示して総ページ数を示すインジケータ上で、ページ判定方向に基づきジャンプバーが表示され、現在の位置を示すとともに、カーソルを移動操作することで対応するページを表示するようにしたものが開示されている（特許文献１を参照）。
【０００６】
また、その他の技術として、携帯端末装置において、電子文書のページ送りを行う場合、目盛の付いたページ更新スケールが表示され、更新の度合いをタッチ選択することによりページ捲りを行うこと、表示されたサムネイルをスクロールしてタップ選択することで対応ページを表示することが開示されている（特許文献２を参照）。
【先行技術文献】
【特許文献】
【０００７】
【特許文献１】ＷＯ２０１４／０４２０５０号公報
【特許文献２】特開２０１２−２３０５７０号公報
【発明の概要】
【発明が解決しようとする課題】
【０００８】
しかしながら、大画面の表示装置を用いてプレゼンテージョンや会議を行う場合は、特許文献に開示されているような電子書籍表示装置や携帯端末装置等とは異なり、大画面の表示部においてコンテンツを探し出す操作を行わなければならないため、手元の操作画面上でタッチ操作を行うように簡単に操作を行うことが難しいという問題があった。
【０００９】
本発明は、上記問題に鑑みてなされたものであって、表示部が大画面であっても、簡単な操作でページ送り／戻し操作を行うことができ、簡単に所望の画像等のコンテンツを探し出すことができる操作性に優れた表示装置およびプログラムを提供することを目的とする。
【課題を解決するための手段】
【００１０】
本発明は、入力されたコンテンツ情報が記憶される記憶部と、前記コンテンツ情報に基づくコンテンツが表示される表示部と、前記表示部における入力操作（例えば、タッチ操作）を検知する入力検知部と、前記入力検知部による検知結果に基づいて前記表示部にコンテンツを表示する制御部とを備えた表示装置において、前記制御部の構成として、前記記憶部に記憶された複数のコンテンツ情報に対して選択操作（例えば、ページ送りまたはページ戻し操作）を行うためのコンテンツ選択操作部と、前記コンテンツ選択操作部における選択結果に基づき、表示対象となるコンテンツを選択するコンテンツ選択部と、前記コンテンツ選択部で選択された表示対象となるコンテンツを前記表示部に表示するコンテンツ表示制御部と、を備え、前記コンテンツ選択操作部は、複数のコンテンツのプレビュー画像を表示するためのプレビューウィンドウを表示するプレビュー画像表示部を備え、前記プレビューウィンドウに表示されるプレビュー画像は、選択されたコンテンツのプレビュー画像と、その選択されたコンテンツの前後のコンテンツのプレビュー画像とを含み、前記コンテンツ表示制御部は、前記選択されたコンテンツのプレビュー画像とその他のコンテンツのプレビュー画像とを、所定の間隔で横並びで表示し、前記選択されたコンテンツのプレビュー画像を、その他のコンテンツのプレビュー画像よりも大きく表示することを特徴とするものである。
また、本発明は、入力されたコンテンツ情報が記憶される記憶部と、前記コンテンツ情報に基づくコンテンツが表示される表示部と、前記表示部における入力操作を検知する入力検知部と、前記入力検知部による検知結果に基づいて前記表示部にコンテンツを表示する制御部とを備えた表示装置において、前記制御部の構成として、前記記憶部に記憶された複数のコンテンツ情報に対して選択操作を行うためのコンテンツ選択操作部と、前記コンテンツ選択操作部における選択結果に基づき、表示対象となるコンテンツ情報を選択するコンテンツ選択部と、前記コンテンツ選択部で選択された表示対象となるコンテンツ情報を前記表示部に表示するコンテンツ表示制御部と、を備え、前記コンテンツ選択操作部は、前記記憶部に記憶されたコンテンツ情報の総ページ数を示すインジケータを表示するインジケータ表示部を備え、前記コンテンツ表示制御部は、前記記憶部に記憶されたコンテンツ情報の量に応じて前記インジケータのコンテンツ情報を表示する表示領域を変化させ、前記インジケータ表示部に表示された前記総ページ数における選択されたコンテンツの位置を特定表示することを特徴とするものである。
【００１１】
また、本発明は、記憶部に記憶されたコンテンツ情報に基づいて表示部にコンテンツを表示する表示装置を制御するプログラムであって、コンピュータに、前記記憶部に記憶された複数のコンテンツ情報に対して選択操作を行う機能と、前記複数のコンテンツ情報に対する選択結果に基づき、表示対象となるコンテンツを選択する機能と、前記表示対象となるコンテンツを前記表示部に表示する機能と、前記表示対象となるコンテンツを前記表示部に表示する機能と、複数のコンテンツのプレビュー画像を表示するためのプレビューウィンドウを表示する機能と、前記プレビューウィンドウに表示されるプレビュー画像として、選択されたコンテンツのプレビュー画像と、その選択されたコンテンツの前後のコンテンツのプレビュー画像とを表示する機能と、前記選択されたコンテンツのプレビュー画像とその他のコンテンツのプレビュー画像とを、所定の間隔で横並びで表示する機能と、前記選択されたコンテンツのプレビュー画像を、その他のコンテンツのプレビュー画像よりも大きく表示する機能と、を実現させるためのプログラムである。
また、本発明は、記憶部に記憶されたコンテンツ情報に基づいて表示部にコンテンツを表示する表示装置を制御するプログラムであって、コンピュータに、前記記憶部に記憶された複数のコンテンツ情報に対して選択操作を行う機能と、前記複数のコンテンツ情報に対する選択結果に基づき、表示対象となるコンテンツを選択する機能と、前記表示対象となるコンテンツを前記表示部に表示する機能と、前記記憶部に記憶されたコンテンツ情報の総ページ数を示すインジケータを表示する機能と、前記記憶部に記憶されたコンテンツ情報の量に応じて前記インジケータのコンテンツ情報を表示する表示領域を変化させる機能と、前記インジケータ表示部に表示された前記総ページ数における選択されたコンテンツの位置を特定表示する機能と、を実現させるためのプログラムである。
【発明の効果】
【００１２】
本発明の表示装置によれば、入力されたコンテンツ情報が記憶される記憶部と、前記コンテンツ情報に基づくコンテンツが表示される表示部と、前記表示部における入力操作を検知する入力検知部と、前記入力検知部による検知結果に基づいて前記表示部にコンテンツを表示する制御部とを備えた表示装置において、前記制御部の構成として、前記記憶部に記憶された複数のコンテンツ情報に対して選択操作を行うためのコンテンツ選択操作部と、前記コンテンツ選択操作部における選択結果に基づき、表示対象となるコンテンツを選択するコンテンツ選択部と、前記コンテンツ選択部で選択された表示対象となるコンテンツを前記表示部に表示するコンテンツ表示制御部と、を備え、前記コンテンツ選択操作部は、複数のコンテンツのプレビュー画像を表示するためのプレビューウィンドウを表示するプレビュー画像表示部を備え、前記プレビューウィンドウに表示されるプレビュー画像は、選択されたコンテンツのプレビュー画像と、その選択されたコンテンツの前後のコンテンツのプレビュー画像とを含み、前記コンテンツ表示制御部は、前記選択されたコンテンツのプレビュー画像とその他のコンテンツのプレビュー画像とを、所定の間隔で横並びで表示し、前記選択されたコンテンツのプレビュー画像を、その他のコンテンツのプレビュー画像よりも大きく表示することで、大画面の表示部が採用された表示装置であっても、簡単な操作でページ送り／戻し操作を行うことができ、簡単に所望の画像等のコンテンツを探し出すことができるので、プレゼンテーションや会議等の進行に影響を及ぼすことなく効率良く行うことができる。これにより、操作性に優れた表示装置を提供することができる。
【００１３】
また、本発明のプログラムによれば、記憶部に記憶されたコンテンツ情報に基づいて表示部にコンテンツを表示する表示装置において、コンピュータに、前記記憶部に記憶された複数のコンテンツ情報に対して選択操作を行う機能と、前記複数のコンテンツ情報に対する選択結果に基づき、表示対象となるコンテンツを選択する機能と、前記表示対象となるコンテンツを前記表示部に表示する機能と、複数のコンテンツのプレビュー画像を表示するためのプレビューウィンドウを表示する機能と、前記プレビューウィンドウに表示されるプレビュー画像として、選択されたコンテンツのプレビュー画像と、その選択されたコンテンツの前後のコンテンツのプレビュー画像とを表示する機能と、前記選択されたコンテンツのプレビュー画像とその他のコンテンツのプレビュー画像とを、所定の間隔で横並びで表示する機能と、前記選択されたコンテンツのプレビュー画像を、その他のコンテンツのプレビュー画像よりも大きく表示する機能と、を実現させることで、大画面の表示部が採用された表示装置であっても、簡単な操作でページ送り／戻し操作を行うことができ、簡単に所望の画像等のコンテンツを探し出すことができるので、プレゼンテーションや会議等の進行に影響を及ぼすことなく効率良く行うことができる。これにより、操作性に優れた表示装置を提供することができる。
【図面の簡単な説明】
【００１４】
【図１】本発明の第１実施形態に係るコンテンツ表示装置の全体構成を示す説明図である。
【図２】前記コンテンツ表示装置の電気的構成を示すブロック図である。
【図３】前記コンテンツ表示装置の表示部に表示されるプレビューウィンドウを示す説明図である。
【図４】前記コンテンツ表示装置において表示したいコンテンツを探し出して表示するときの動作処理工程を示すフローチャートの一部である。
【図５】図４のフローチャートに続く動作処理を示すフローチャートである。
【図６】前記コンテンツ表示装置において表示部にプレビューウィンドウを表示した状態を示す説明図である。
【図７】前記プレビューウィンドウにおいてページ送り操作によりコンテンツを特定するとき表示状態を示す説明図である。
【図８】前記プレビューウィンドウにおいてページ戻し操作によりコンテンツを特定するときの表示状態を示す説明図である。
【図９】本発明の第２実施形態に係るコンテンツ表示装置の電気的構成を示すブロック図である。
【図１０】前記コンテンツ表示装置の表示部に表示されるインジケータを示す説明図である。
【図１１】前記コンテンツ表示装置において表示部にインジケータを表示した状態を示す説明図である。
【図１２】前記インジケータにおける総ページ数とページ送り操作により特定されたコンテンツのページとの位置関係を示す説明図である。
【図１３】前記インジケータにおける総ページ数とページ戻し操作により特定されたコンテンツのページとの位置関係を示す説明図である。
【図１４】本発明の第３実施形態に係るコンテンツ表示装置の電気的構成を示すブロック図である。
【図１５】前記コンテンツ表示装置の表示部に表示されるインジケータとプレビュー画像を示す説明図である。
【図１６】前記コンテンツ表示装置において表示部にインジケータと縮小画像表示部を表示した状態を示す説明図である。
【図１７】前記インジケータにおける総ページ数とページ送り操作により特定されたコンテンツのページとの位置関係を示す説明図である。
【図１８】前記インジケータにおける総ページ数とページ戻し操作により特定されたコンテンツのページとの位置関係を示す説明図である。
【図１９】本発明の第４実施形態に係るコンテンツ表示装置の電気的構成を示すブロック図である。
【図２０】前記コンテンツ表示装置の表示部のタッチ操作領域を４分割した一例を示す説明図である。
【図２１】前記表示部のＡ部をタッチ操作したときのプレビューウィンドウの表示状態の一例を示す説明図である。
【図２２】前記表示部のＢ部をタッチ操作したときのプレビューウィンドウの表示状態の一例を示す説明図である。
【図２３】前記表示部のＣ部をタッチ操作したときのプレビューウィンドウの表示状態の一例を示す説明図である。
【図２４】前記表示部のＤ部をタッチ操作したときのプレビューウィンドウの表示状態の一例を示す説明図である。
【図２５】本発明の第４実施形態に係るコンテンツ表示装置の表示部をマルチ画面で構成した一例を示す説明図である。
【図２６】本発明の第５実施形態に係るコンテンツ表示装置の電気的構成を示すブロック図である。
【図２７】前記コンテンツ表示装置の表示部に表示されるプレビューウィンドウの表示状態の一例を示す説明図である。
【図２８】本発明の第６実施形態に係るコンテンツ表示装置の表示部に短く表示されるプレビューウィンドウの一例を示す説明図である。
【図２９】前記コンテンツ表示装置の表示部に長く表示されるプレビューウィンドウの一例を示す説明図である。
【図３０】前記コンテンツ表示装置の表示部に短く表示されるインジケータの一例を示す説明図である。
【図３１】前記コンテンツ表示装置の表示部に長く表示されるインジケータの一例を示す説明図である。
【図３２】本発明の第７実施形態に係るコンテンツ表示装置のマルチディスプレイにおいて特定の表示部にプレビューウィンドウを表示する一例を示す説明図である。
【図３３】前記コンテンツ表示装置のマルチディスプレイにおいて特定された位置にプレビューウィンドウを表示する変形例１を示す説明図である。
【図３４】前記コンテンツ表示装置のマルチディスプレイにおいて特定された表示部にプレビューウィンドウを表示する変形例２を示す説明図である。
【発明を実施するための形態】
【００１５】
（第１実施形態）
以下、本発明の第１実施形態について図面を参照して説明する。
図１は発明を実施する形態の一例であって、本発明の第１実施形態に係るコンテンツ表示装置の全体構成を示す説明図、図２は前記コンテンツ表示装置の電気的構成を示すブロック図、図３は前記コンテンツ表示装置の表示部に表示されるプレビューウィンドウを示す説明図である。
【００１６】
本発明の第１実施形態は、図１に示すように、表示画面１２１にコンテンツ２を表示する表示部（例えば、液晶ディスプレイ）１２０を備えたコンテンツ表示装置（表示装置）１であって、表示部１２０において所望のコンテンツ２を簡単な操作で探し出して表示するようにするために、本発明に係る表示装置の特徴的な構成を備えたものである。
【００１７】
第１実施形態のコンテンツ表示装置１は、図１に示すように、矩形状の筐体１０１に大画面の表示部１２０が設けられ、表示部１２０を立てた状態に設置して、表示部１２０の表示画面１２１にコンテンツ２を表示するとともに、ユーザが画面操作を行うことで別のコンテンツに切り換えて表示できるように構成されている。例えば、大画面の表示部１２０を用いて、所望のコンテンツを表示しながらプレゼンテーションや会議を行うなど、種々の打合せでの利用が可能である。
【００１８】
コンテンツ表示装置１は、図２に示すように、制御部１１０と、表示部１２０と、タッチ検出部（入力検知部）１３０と、記憶部１４０と、を備えて構成されている。
【００１９】
制御部１１０は、例えばＣＰＵ（Central Process Unit）等により構成され、コンテンツ表示装置１の全体を制御する。
【００２０】
表示部１２０は、各種情報を表示するための機能部である。例えば、液晶ディスプレイ（ＬＣＤ）や、有機ＥＬディスプレイ等により構成されている。
【００２１】
タッチ検出部１３０は、ユーザからタッチ操作による入力を検知できる機能部であって、表示部１２０と一体となってタッチパネルとして形成されている。
【００２２】
第１実施形態では、タッチ検出部１３０は、表示部１２０の表示画面１２１に表示されたコンテンツ２へのジェスチャー操作による回転方向と操作量を含む操作情報を検出することを特徴としている。
【００２３】
また、タッチ検出部１３０は、ユーザからのタップ、ホールド、スライド、フリック、ピンチといった各種操作を検知することが可能である。また、ユーザからの入力の検知を複数検知することが可能である。例えば、５点同時であったり、１０点同時であったりする。
【００２４】
また、検出範囲が所定の範囲内であり、かつ、検知点として複数検知された場合には、所定の範囲が選択されていると検知することも可能である。
【００２５】
記憶部１４０は、例えば、半導体メモリや、ＨＤＤ（Hard Disk Drive）等により構成されている。
【００２６】
記憶部１４０は、コンテンツ表示装置１の動作に必要な制御プログラム等の各種プログラムや、各種データが記憶されている機能部である。
【００２７】
第１実施形態では、記憶部１４０は、各種コンテンツの情報が記憶されるコンテンツ情報記憶部１５０を備えている。
【００２８】
コンテンツ情報記憶部１５０には、コンテンツを構成するコンテンツ情報１５１、コンテンツを表示するためのコンテンツ表示位置情報１５２などが記憶されている。
【００２９】
このコンテンツは、例えば画像データ、映像データであっても良いし、ＰＤＦやドキュメントファイル、プレゼンテーションファイル等といった表示部１２０に表示可能なファイルが含まれている。
【００３０】
第１実施形態では、コンテンツ表示装置１の特徴的な構成として、制御部１１０の構成に、コンテンツ選択操作部１６０と、コンテンツ選択部１７０と、コンテンツ表示制御部１８０と、を備えたことを特徴としている。
【００３１】
コンテンツ選択操作部１６０は、記憶部１４０に記憶された複数のコンテンツ情報に対してページ送りまたはページ戻し等の選択操作を行うためのものである。
【００３２】
第１実施形態では、コンテンツ選択操作部１６０は、コンテンツ送り方向判定部１６１と、プレビュー画像表示部１６２とを備えている。
【００３３】
コンテンツ送り方向判定部１６１は、タッチ検出部１３０におけるジェスチャー操作の検出結果に基づき、ジェスチャー操作がコンテンツ送り方向かコンテンツ戻り方向かを判定する。
【００３４】
プレビュー画像表示部１６２は、図３に示すように、表示部１２０の表示画面１２１の一部に複数のコンテンツのプレビュー画像を表示するプレビューウィンドウ（プレビュー画像表示部）１２１０を表示するものである。第１実施形態では、プレビューウィンドウ１２１０には、プレビュー画像ｐ（ｎ−２），ｐ（ｎ−１），ｐ（ｎ），ｐ（ｎ＋１），ｐ（ｎ＋２）の５個のプレビュー画像が表示されるようになっている。符号中の「ｎ」は、複数のコンテンツのうちの「ｎ」ページ目のコンテンツを示す。したがって、「ｎ−１」は、「ｎ−１」ページ目のコンテンツである。
【００３５】
コンテンツ選択部１７０は、コンテンツ選択操作部１６０における選択結果に基づき、表示対象となるコンテンツを選択するためのものである。
【００３６】
コンテンツ表示制御部１８０は、コンテンツ選択部１７０でユーザにより選択された表示対象となるコンテンツ２を表示部１２０に表示するためのものである。
【００３７】
第１実施形態では、コンテンツ表示制御部１８０は、プレビュー画像特定表示部１８１を備えている。
【００３８】
プレビュー画像特定表示部１８１は、プレビュー画像表示部１６２により表示された複数のコンテンツのプレビュー画像のうちから選択されたコンテンツのプレビュー画像を特定表示するものである。第１実施形態では、図３に示すように、中央部に表示される現在のプレビュー画像ｐ（ｎ）が他の前後するプレビュー画像よりも大きく表示されるようにされている。
【００３９】
次に、第１実施形態のコンテンツ表示装置１において、表示部１２０に表示したいコンテンツ２を探し出して表示するときの動作処理についてフローチャートに沿って説明する。
図４は第１実施形態のコンテンツ表示装置において表示したいコンテンツを探し出して表示するときの動作処理工程を示すフローチャートの一部、図５は図４のフローチャートに続く動作処理を示すフローチャートである。
【００４０】
コンテンツ表示装置１において、現在使用中のコンテンツが表示されているページから別のページに表示画面を切り替える場合は、図４に示すように、まず、ページ表示を切り替えるか否かが判断される（ステップＳ１）。
【００４１】
表示されているコンテンツのページを切り替えるときは、例えば、ページ送り操作や、ページ切り替えスイッチ等を操作することでページ表示の切り替えを指示するようにしてもよい。
【００４２】
ステップＳ１において、ページ表示を切り替えると判断された場合は、ページ表示の切り替え操作方向は、手指による操作かスタイラスペンによる操作かが判断される（ステップＳ２）。
【００４３】
ステップＳ２において、手指による操作であると判断された場合は、タッチディスプレイとして機能する表示画面１２１を手指によりタッチ操作する（ステップＳ３）。
【００４４】
そして、コンテンツ送り方向判定部１６１において、タッチ操作がページ送りモードの操作であるか否かが判断される（ステップＳ４）。
【００４５】
ステップＳ４において、ページ送りモードの操作であると判断された場合は、表示部１２０の表示画面１２１がページ送りモードに切り替えられる（ステップＳ５）。
【００４６】
ステップＳ４において、ページ送りモードの操作ではないと判断された場合は、ステップＳ２に戻る。
【００４７】
一方、ステップＳ２において、スタイラスペンによる操作であると判断された場合は、表示画面１２１をスタイラスペンによりタッチ操作する（ステップＳ６）。そして、タッチ操作がページ送りモードの操作であるか否かが判断される（ステップＳ７）。
【００４８】
ステップＳ７において、ページ送りモードの操作であると判断された場合は、表示部１２０の表示画面１２１がページ送りモードに切り替えられる（ステップＳ５）。
【００４９】
ステップＳ７において、ページ送りモードの操作ではないと判断された場合は、ステップＳ２に戻る。
【００５０】
ステップＳ５において、表示部１２０の表示画面１２１がページ送りモードに切り替えられると、タッチ検出部１３０により、表示画面１２１においてタッチされた位置を検出して（ステップＳ８）、プレビュー画像表示部１６２により、タッチされた位置（検出位置）に応じてプレビューウィンドウ１２１０が表示画面１２１に表示される（ステップＳ９）。
【００５１】
そして、図５に示すように、プレビューウィンドウ１２１０においてタッチ座標を検出した後、タッチ位置の変化を検出したか否かが判定される（ステップＳ１０）。
【００５２】
具体的には、本実施形態では、図３に示すように、表示部１２０において、プレビューウィンドウ１２１０が図中左右方向（水平方向）に長く表示されている状態で、ユーザのタッチ操作が検出される。
【００５３】
ステップＳ１０において、タッチ位置の変化を検出したと判断された場合は、ステップＳ１１に進み、初期検出位置からのタッチ位置の変位方向（タッチ後の指またはペンの移動方向）が水平方向か垂直方向かが判断される。
【００５４】
ステップＳ１１において、初期検出位置からの変位方向が水平方向であることが判断された場合は、コンテンツ選択部１７０において、タッチ位置の変化量に応じてページ送りによる送り先ページを算出して（ステップＳ１２）、送り先ページが特定される（ステップＳ１３）。
【００５５】
そして、手指がプレビューウィンドウ１２１０から離れたか否かが判定される（ステップＳ１４）。
【００５６】
ステップＳ１４において、手指がプレビューウィンドウ１２１０から離れたと判断された場合は、ページ送りを行うプレビューウィンドウ１２１０を閉じて、特定された送り先ページのコンテンツが表示画面１２１に全画面表示される（ステップＳ１５）。
【００５７】
そして、ページ送りモードを終了して描画モードに切り替えられる（ステップＳ１７）。
【００５８】
一方、ステップＳ１０において、タッチ位置の変化を検出していないと判断された場合は、ステップＳ１６に進み、手指がプレビューウィンドウ１２１０から離れたか否かが判定される。
【００５９】
ステップＳ１６において、手指がプレビューウィンドウ１２１０から離れていると判断された場合は、ページ送りモードを終了して描画モードに切り替えられる（ステップＳ１７）。
【００６０】
また、ステップＳ１６において、手指がプレビューウィンドウ１２１０から離れていないと判断された場合は、ステップＳ８に進み、タッチ位置の検出が続行される。
【００６１】
このようにして、表示したいコンテンツを探して表示画面に表示する処理が終了する。
【００６２】
ここで、第１実施形態のコンテンツ表示装置１において、プレビューウィンドウ１２１０によりページ送りを行って特定のコンテンツを探し出す操作を図面を参照して具体的に説明する。
図６は第１実施形態のコンテンツ表示装置において表示部にプレビューウィンドウを表示した状態を示す説明図、図７は前記プレビューウィンドウにおいてページ送り操作によりコンテンツを特定するとき表示状態を示す説明図、図８は前記プレビューウィンドウにおいてページ戻し操作によりコンテンツを特定するときの表示状態を示す説明図である。
【００６３】
第１実施形態のコンテンツ表示装置１では、図６に示すように、ページ送りモードにおいて、表示部１２０の表示画面１２１をタッチ操作することで、表示画面１２１の一部にプレビューウィンドウ１２１０が表示される。
【００６４】
プレビューウィンドウ１２１０には、縮小された複数のプレビュー画像ｐ（ｎ−２）,ｐ（ｎ−１），ｐ（ｎ），ｐ（ｎ＋１）,ｐ（ｎ＋２）が横並びで表示されている。
【００６５】
ここでは、コンテンツ表示制御部１８０において、プレビュー画像特定表示部１８１により、プレビュー画像ｐ（ｎ）を現在の表示画面１２１に表示されているコンテンツ（図示省略）のプレビュー画像として、中央部に位置して、かつ、他のプレビュー画像よりも大きく表示している。これにより、特定のプレビュー画像とその他のプレビュー画像との差別化を図り、プレビュー画像ｐ（ｎ）が現在のコンテンツのプレビュー画像であることを明確にしている。
【００６６】
まず、ページ送り操作により特定のコンテンツを表示する場合は、図７に示すように、ここでは図中左から右に向かいタッチ操作することで、プレビューウィンドウ１２１０内でページ数が大きくなる方向にページが送られてプレビュー画像が表示される。
【００６７】
ページ送り操作により特定のコンテンツを選択する場合は、コンテンツ表示制御部１８０において、プレビュー画像特定表示部１８１により、ページ送り中で特定されたプレビュー画像は、ページ送り方向下流側の位置で、他のプレビュー画像よりも大きく表示されている。
【００６８】
ここでは、プレビュー画像ｐ（ｎ＋２）が特定されたページのコンテンツ（図示省略）のプレビュー画像として表示される。
【００６９】
そして、表示されるページが特定されると、特定されたページのコンテンツが表示画面１２１に全画面表示される。
【００７０】
次に、ページ戻り操作により特定のコンテンツを表示する場合は、図８に示すように、ここでは図中右から左に向かいタッチ操作することで、プレビューウィンドウ１２１０内でページ数が小さくなる方向にページが送られてプレビュー画像が表示される。
【００７１】
ページ戻り操作により特定のコンテンツを選択する場合は、コンテンツ表示制御部１８０において、プレビュー画像特定表示部１８１により、ページ戻り中で特定されたプレビュー画像は、ページ戻り方向下流側の位置で、他のプレビュー画像よりも大きく表示されている。
【００７２】
ここでは、プレビュー画像ｐ（ｎ−３）を特定されたページのコンテンツ（図示省略）のプレビュー画像として表示される。
【００７３】
そして、表示されるページが特定されると、特定されたページのコンテンツが表示画面１２１に全画面表示される。
【００７４】
このようにして、コンテンツ表示装置１において、特定したコンテンツを表示する場合には、プレビューウィンドウ１２１０にプレビュー画像を表示して特定したページを探し出すようにすることで、容易に特定したコンテンツを表示することができる。
【００７５】
以上のように構成したので、第１実施形態によれば、コンテンツ表示装置１において、入力されたコンテンツ情報が記憶される記憶部１４０と、コンテンツ情報に基づくコンテンツが表示される表示部１２０と、表示部１２０における入力操作を検知するタッチ検出部１３０と、タッチ検出部１３０による検知結果に基づいて表示部１２０にコンテンツを表示する制御部１１０とを備え、さらに、制御部１１０の構成として、コンテンツ選択操作部１６０と、コンテンツ選択部１７０と、コンテンツ表示制御部１８０と、を備え、コンテンツ選択操作部１６０として、コンテンツ送り方向判定部１６１と、プレビュー画像表示部１６２とを備え、コンテンツ表示制御部１８０として、プレビュー画像特定表示部１８１を備えることで、大画面の表示部１２０が採用されたコンテンツ表示装置であっても、簡単な操作でページ送り／戻し操作を行うことができ、簡単に所望の画像等のコンテンツを探し出すことができるので、プレゼンテーションや会議等の進行に影響を及ぼすことなく効率良く行うことができる。これにより、操作性に優れた表示装置を提供することができる。
【００７６】
（第２実施形態）
次に、本発明の第２実施形態について説明する。
図９は本発明の第２実施形態に係るコンテンツ表示装置の電気的構成を示すブロック図、図１０は前記コンテンツ表示装置の表示部に表示されるインジケータを示す説明図である。
【００７７】
なお、第２実施形態のコンテンツ表示装置は、第１実施形態のコンテンツ表示装置と同様な構成を有するものであり、同様な構成を有するものは、同じ符号を付することで説明を省略する。
【００７８】
第２実施形態のコンテンツ表示装置２０１は、図９に示すように、制御部２１０と、表示部１２０と、タッチ検出部（入力検知部）１３０と、記憶部１４０と、を備えて構成されている。
【００７９】
第２実施形態では、コンテンツ表示装置２０１の特徴的な構成として、制御部２１０の構成に、コンテンツ選択操作部２６０と、コンテンツ選択部１７０と、コンテンツ表示制御部２８０と、を備えたことを特徴としている。
【００８０】
第２実施形態において、上述した第１実施形態と異なる点は、コンテンツ選択操作部２６０の構成として、プレビュー画像表示部１６２に換えてインジケータ表示部１６３を備え、コンテンツ表示制御部２８０の構成として、プレビュー画像特定表示部１８１に換えてコンテンツページ数表示部１８２を備えたことを特徴とすることにある。
【００８１】
コンテンツ選択操作部２６０は、記憶部１４０に記憶された複数のコンテンツ情報に対してページ送りまたはページ戻し等の選択操作を行うためのものである。
【００８２】
第２実施形態では、コンテンツ選択操作部２６０は、コンテンツ送り方向判定部１６１と、インジケータ表示部１６３とを備えている。
【００８３】
コンテンツ表示制御部２８０は、コンテンツ選択部１７０でユーザにより選択された表示対象となるコンテンツ２を表示部１２０に表示するためのものである。
【００８４】
第２実施形態では、コンテンツ表示制御部２８０は、コンテンツページ数表示部１８２を備えている。
【００８５】
コンテンツページ数表示部１８２は、インジケータ表示部１６３により表示されたインジケータ（ゲージ）に記憶部１４０に収容されているコンテンツの総ページ数と選択されたコンテンツのページの位置関係を表示するものである。
【００８６】
インジケータ表示部１６３は、図１０に示すように、表示部１２０の表示画面１２１の一部にコンテンツの総ページ数を表示するインジケータ１２２０を表示するものである。
【００８７】
第２実施形態では、インジケータ１２２０は、記憶部１４０に収容されているコンテンツの総ページ数の容量を示すゲージである。
【００８８】
インジケータ１２２０には、表示されるコンテンツの位置を示すカーソル１２２１と、表示されるコンテンツのページ数（番号）が表示されるページ数表示部１２２２が表示されている。
【００８９】
ページ数表示部１２２２に表示されているページ数ｐ（ｍ）のうちの符号「ｍ」は、複数のコンテンツのうちの「ｍ」ページ目のコンテンツを示すものである。
カーソル１２２１が表示される位置は、コンテンツの総ページ数の中で位置する場所を示している。
【００９０】
次に、第２実施形態のコンテンツ表示装置２０１において、インジケータ１２２０によりページ送りを行って特定のコンテンツを探し出す操作を図面を参照して具体的に説明する。
【００９１】
図１１は第２実施形態のコンテンツ表示装置において表示部にインジケータを表示した状態を示す説明図、図１２は前記インジケータにおける総ページ数とページ送り操作により特定されたコンテンツのページとの位置関係を示す説明図、図１３は前記インジケータにおける総ページ数とページ戻し操作により特定されたコンテンツのページとの位置関係を示す説明図である。
【００９２】
第２実施形態のコンテンツ表示装置２０１では、図１１に示すように、ページ送りモードにおいて、表示部１２０の表示画面１２１をタッチ操作することで、表示画面１２１の一部にインジケータ１２２０が表示される。
【００９３】
インジケータ１２２０には、表示されているコンテンツ（図示省略）のコンテンツ総ページ数の中の位置を示すカーソル１２２１が表示され、ページ数表示部１２２２には、表示されているコンテンツのページ数ｐ（ｍ）が表示されている。
【００９４】
第２実施形態では、コンテンツ表示制御部２８０において、コンテンツページ数表示部１８２により、現在の表示画面１２１に表示されているコンテンツ（図示省略）のコンテンツ総ページ数における位置を、インジケータ１２２０にカーソル１２２１として表示している。これにより、表示されているコンテンツが全てのコンテンツの中のどの辺の位置にあるかを確認できる。
【００９５】
まず、ページ送り操作により特定のコンテンツを表示する場合は、図１２に示すように、ここでは図中左から右に向かいタッチ操作することで、インジケータ１２２０内でページ数が大きくなる方向にカーソル１２２１が送られる。このとき、カーソル１２２１の位置が表示されるコンテンツのページの位置であり、ページ数表示部１２２２に表示されるページ数ｐ（ｍ＋５）が表示されるコンテンツのページ数である。
【００９６】
そして、表示されるページが特定されると、特定されたページのコンテンツが表示画面１２１に全画面表示される。
【００９７】
次に、ページ戻り操作により特定のコンテンツを表示する場合は、図１３に示すように、ここでは図中右から左に向かいタッチ操作することで、インジケータ１２２０内でページ数が小さくなる方向にカーソル１２２１が送られる。このとき、カーソル１２２１の位置が表示されるコンテンツのページの位置であり、インジケータ１２２０に表示されるページ数ｐ（ｍ−５）が表示されるコンテンツのページ数である。
【００９８】
そして、表示されるページが特定されると、特定されたページのコンテンツが表示画面１２１に全画面表示される。
【００９９】
このようにして、コンテンツ表示装置２０１において、特定したコンテンツを表示する場合には、インジケータ１２２０に表示されるコンテンツを示すカーソル１２２１を表示して特定したページを探し出すようにすることで、容易に特定したコンテンツを表示することができる。
【０１００】
以上のように構成したので、第２実施形態によれば、コンテンツ表示装置２０１において、制御部２１０の構成として、コンテンツ選択操作部２６０と、コンテンツ選択部１７０と、コンテンツ表示制御部２８０と、を備え、コンテンツ選択操作部２６０として、コンテンツ送り方向判定部１６１と、インジケータ表示部１６３とを備え、コンテンツ表示制御部２８０として、コンテンツページ数表示部１８２を備えることで、大画面の表示部１２０が採用されたコンテンツ表示装置であっても、簡単な操作でページ送り／戻し操作を行うことができ、簡単に所望の画像等のコンテンツを探し出すことができるので、プレゼンテーションや会議等の進行に影響を及ぼすことなく効率良く行うことができる。これにより、操作性に優れた表示装置を提供することができる。
【０１０１】
（第３実施形態）
次に、本発明の第３実施形態について説明する。
図１４は本発明の第３実施形態に係るコンテンツ表示装置の電気的構成を示すブロック図、図１５は前記コンテンツ表示装置の表示部に表示されるインジケータとプレビュー画像を示す説明図である。
【０１０２】
なお、第３実施形態のコンテンツ表示装置は、第１実施形態のコンテンツ表示装置と同様な構成を有するものであり、同様な構成を有するものは、同じ符号を付することで説明を省略する。
【０１０３】
第３実施形態のコンテンツ表示装置３０１は、図１４に示すように、制御部３１０と、表示部１２０と、タッチ検出部（入力検知部）１３０と、記憶部１４０と、を備えて構成されている。
第３実施形態では、コンテンツ表示装置２０１の特徴的な構成として、制御部２１０の構成に、コンテンツ選択操作部２６０と、コンテンツ選択部１７０と、コンテンツ表示制御部２８０と、を備えたことを特徴としている。
【０１０４】
第３実施形態において、上述した第２実施形態と異なる点は、コンテンツ選択操作部３６０の構成として、インジケータ表示部１６３に加えて縮小画像表示部１６４を備え、コンテンツ表示制御部３８０の構成として、コンテンツページ数表示部１８２に加えて縮小画像表示部１８３を備えたことを特徴とすることにある。
【０１０５】
コンテンツ選択操作部３６０は、記憶部１４０に記憶された複数のコンテンツ情報に対してページ送りまたはページ戻し等の選択操作を行うためのものである。
【０１０６】
第３実施形態では、コンテンツ選択操作部３６０は、コンテンツ送り方向判定部１６１と、インジケータ表示部１６３と、縮小画像表示部１６４とを備えている。
【０１０７】
縮小画像表示部１６４は、図１５に示すように、インジケータ表示部１６３により表示されたインジケータ１２２０に隣接して特定されたコンテンツのプレビュー画像を縮小して表示する特定プレビュー画像表示部１２３０を表示するものである。
【０１０８】
コンテンツ表示制御部３８０は、コンテンツ選択部１７０でユーザにより選択された表示対象となるコンテンツ２を表示部１２０に表示するためのものである。
【０１０９】
第３実施形態では、コンテンツ表示制御部３８０は、コンテンツページ数表示部１８２と、縮小画像表示部１８３とを備えている。
【０１１０】
縮小画像表示部１８３は、コンテンツ選択部１７０において特定されたコンテンツのプレビュー画像を縮小して特定プレビュー画像表示部１２３０に表示するものである。
【０１１１】
次に、第３実施形態のコンテンツ表示装置３０１において、インジケータ１２２０によりページ送りを行って特定のコンテンツを探し出す操作を図面を参照して具体的に説明する。
【０１１２】
図１６は第３実施形態のコンテンツ表示装置において表示部にインジケータと縮小画像表示部を表示した状態を示す説明図、図１７は前記インジケータにおける総ページ数とページ送り操作により特定されたコンテンツのページとの位置関係を示す説明図、図１８は前記インジケータにおける総ページ数とページ戻し操作により特定されたコンテンツのページとの位置関係を示す説明図である。
【０１１３】
第３実施形態のコンテンツ表示装置３０１では、図１６に示すように、ページ送りモードにおいて、表示部１２０の表示画面１２１をタッチ操作することで、表示画面１２１の一部にインジケータ１２２０と特定プレビュー画像表示部１２３０が表示される。
【０１１４】
インジケータ１２２０には、表示されているコンテンツ（図示省略）のコンテンツ総ページ数の中の位置を示すカーソル１２２１が表示される。そして、特定プレビュー画像表示部１２３０には、表示されているコンテンツの縮小されたプレビュー画像ｐ（ｎ）が表示される。
【０１１５】
第３実施形態では、コンテンツ表示制御部３８０において、コンテンツページ数表示部１８２により、現在の表示画面１２１に表示されているコンテンツ（図示省略）のコンテンツ総ページ数における位置を、インジケータ１２２０にカーソル１２２１として表示するとともに、縮小画像表示部１８３により、表示されるコンテンツのプレビュー画像が表示されるので、特定されるコンテンツを確認できるとともに、そのコンテンツが全てのコンテンツの中のどの辺の位置にあるかを確認できる。
【０１１６】
まず、ページ送り操作により特定のコンテンツを表示する場合は、図１７に示すように、ここでは図中左から右に向かいタッチ操作することで、インジケータ１２２０内でページ数が大きくなる方向にカーソル１２２１が送られる。このとき、カーソル１２２１の位置が表示されるコンテンツのページの位置であり、特定プレビュー画像表示部１２３０には表示されるコンテンツｐ（ｎ＋５）の縮小されたプレビュー画像が表示される。
【０１１７】
そして、表示されるページが特定されると、特定されたページのコンテンツが表示画面１２１に全画面表示される。
【０１１８】
次に、ページ戻り操作により特定のコンテンツを表示する場合は、図１８に示すように、ここでは図中右から左に向かいタッチ操作することで、インジケータ１２２０内でページ数が小さくなる方向にカーソル１２２１が送られる。このとき、カーソル１２２１の位置が表示されるコンテンツのページの位置であり、特定プレビュー画像表示部１２３０には表示されるコンテンツｐ（ｎ−５）の縮小されたプレビュー画像が表示される。
【０１１９】
そして、表示されるページが特定されると、特定されたページのコンテンツが表示画面１２１に全画面表示される。
【０１２０】
このようにして、コンテンツ表示装置３０１において、特定したコンテンツを表示する場合には、インジケータ１２２０に表示されるコンテンツを示すカーソル１２２１を表示して特定したページを探し出すようにして、特定プレビュー画像表示部１２３０に特定したコンテンツのプレビュー画像を縮小して表示することで、特定したコンテンツを確認した上で表示することができる。
【０１２１】
以上のように構成したので、第３実施形態によれば、コンテンツ表示装置３０１において、制御部３１０の構成として、コンテンツ選択操作部３６０と、コンテンツ選択部１７０と、コンテンツ表示制御部３８０と、を備え、コンテンツ選択操作部３６０として、コンテンツ送り方向判定部１６１と、インジケータ表示部１６３と、縮小画像表示部１６４とを備え、コンテンツ表示制御部３８０として、コンテンツページ数表示部１８２と、縮小画像表示部１８３とを備えることで、大画面の表示部１２０が採用されたコンテンツ表示装置であっても、簡単な操作でページ送り／戻し操作を行うことができ、簡単に所望の画像等のコンテンツを探し出すことができるので、プレゼンテーションや会議等の進行に影響を及ぼすことなく効率良く行うことができる。これにより、操作性に優れた表示装置を提供することができる。
【０１２２】
（第４実施形態）
次に、本発明の第４実施形態について説明する。
図１９は本発明の第４実施形態に係るコンテンツ表示装置の電気的構成を示すブロック図、図２０は本発明の第４実施形態に係るコンテンツ表示装置の表示部のタッチ操作領域を４分割した一例を示す説明図、図２１は前記表示部のＡ部をタッチ操作したときのプレビューウィンドウの表示状態の一例を示す説明図、図２２は前記表示部のＢ部をタッチ操作したときのプレビューウィンドウの表示状態の一例を示す説明図、図２３は前記表示部のＣ部をタッチ操作したときのプレビューウィンドウの表示状態の一例を示す説明図、図２４は前記表示部のＤ部をタッチ操作したときのプレビューウィンドウの表示状態の一例を示す説明図である。
【０１２３】
なお、第４実施形態のコンテンツ表示装置は、第１実施形態のコンテンツ表示装置と同様な構成を有するものであり、同様な構成を有するものは、同じ符号を付することで説明を省略する。
【０１２４】
第４実施形態のコンテンツ表示装置４０１は、図１９に示すように、制御部４１０と、表示部１２０と、タッチ検出部（入力検知部）１３０と、記憶部１４０と、を備えて構成されている。
【０１２５】
第４実施形態では、コンテンツ表示装置４０１の特徴的な構成として、制御部４１０の構成に、コンテンツ選択操作部４６０と、コンテンツ選択部１７０と、コンテンツ表示制御部１８０と、を備えたことを特徴としている。
【０１２６】
第４実施形態において、上述した実施形態と異なる点は、コンテンツ表示装置４０１の制御部４１０を構成するコンテンツ選択操作部４６０の構成として、第１実施形態のコンテンツ選択操作部の構成に加えて、さらに、プレビューウィンドウ表示位置特定部１６５を備えたことを特徴とすることにある。
【０１２７】
コンテンツ選択操作部４６０は、記憶部１４０に記憶された複数のコンテンツ情報に対してページ送りまたはページ戻し等の選択操作を行うためのものである。
【０１２８】
第４実施形態では、コンテンツ選択操作部４６０は、コンテンツ送り方向判定部１６１と、インジケータ表示部１６３とを備え、さらに、プレビューウィンドウ表示位置特定部１６５を備えている。
【０１２９】
プレビューウィンドウ表示位置特定部１６５は、表示部１２０においてタッチ操作が検知された位置に応じてプレビューウィンドウ１２１０が表示される位置を特定する。
【０１３０】
第４実施形態では、コンテンツ表示装置４０１の表示部１２０は、図２０に示すように、表示画面１２１を、水平方向の分割比率を左右に１：１とし、鉛直方向の分割比率を上下に１：２として分割している。
【０１３１】
具体的には、図２０に示すように、表示画面１２１の左上を領域Ａ、左下を領域Ｂ、右上を領域Ｃ、右下を領域Ｄとしている。
【０１３２】
第４実施形態では、プレビューウィンドウ表示位置特定部１６５は、表示画面１２１の領域Ａにおいてタッチ操作した場合は、図２１に示すように、プレビューウィンドウ１２１０はタッチ操作位置Ａ１の右下方向に表示される。
【０１３３】
表示画面１２１の領域Ｂにおいてタッチ操作した場合は、図２２に示すように、プレビューウィンドウ１２１０はタッチ操作位置Ｂ１の右上方向に表示される。
【０１３４】
表示画面１２１の領域Ｃにおいてタッチ操作した場合は、図２３に示すように、プレビューウィンドウ１２１０はタッチ操作位置Ｃ１の左下方向に表示される。
【０１３５】
表示画面１２１の領域Ｄにおいてタッチ操作した場合は、図２４に示すように、プレビューウィンドウ１２１０はタッチ操作位置Ｄ１の左上方向に表示される。
【０１３６】
すなわち、第４実施形態では、プレビューウィンドウ表示位置特定部１６５により、プレビューウィンドウ１２１０は、ユーザによるタッチ位置に応じて表示画面１２１の中央部寄りに表示されるようになっている。
これにより、ユーザが表示画面１２１のどこをタッチ操作しても、プレビューウィンドウ１２１０の全体を表示することができる。
【０１３７】
以上のように構成したので、第４実施形態によれば、コンテンツ表示装置４０１において、制御部４１０を構成するコンテンツ選択操作部４６０の構成として、コンテンツ送り方向判定部１６１、プレビュー画像表示部１６２に加えて、さらに、プレビューウィンドウ表示位置特定部１６５を備えることで、表示画面１２１にプレビューウィンドウ１２１０を表示させる際に、ユーザが表示画面１２１のどこをタッチ操作しても、プレビューウィンドウ１２１０の中央部付近に表示させることができるので、常にプレビューウィンドウ１２１０の全体を表示することができる。
【０１３８】
なお、第４実施形態では、表示画面１２１におけるタッチ操作された位置に応じてプレビューウィンドウ１２１０を表示する位置を特定するようにしているが、変形例として、例えば、表示画面１２１をタッチ操作するユーザの属性に応じてプレビューウィンドウ１２１０の表示位置を特定するようにしてもよい。
【０１３９】
例えば、操作位置が低いユーザの場合は、表示画面１２１の低い位置にプレビューウィンドウ１２１０を表示させ、操作位置が高いユーザの場合は、表示画面１２１の高い位置にプレビューウィンドウ１２１０を表示させるようにして、ユーザにとって操作しやすい表示状態を提供するようにしてもよい。
【０１４０】
また、ユーザが男性や女性の場合や、右利きや左利きの場合によって、プレビューウィンドウ１２１０の表示位置に特徴を持たせるようにしてもよい。
【０１４１】
（変形例）
以下に、第４実施形態のコンテンツ表示装置４０１の変形例を示す。
図２５は本発明の第４実施形態に係るコンテンツ表示装置の表示部をマルチ画面で構成した一例を示す説明図である。
【０１４２】
変形例は、図２５に示すように、第４実施形態のコンテンツ表示装置４０１の表示部４２０を複数のディスプレイ４２０Ａ，４２０Ｂ，４２０Ｃ，４２０Ｄで構成したものである。
【０１４３】
変形例では、表示部４２０における何れのディスプレイ４２０Ａ，４２０Ｂ，４２０Ｃ，４２０Ｄに対してタッチ操作を行った場合でも、プレビューウィンドウ１２１０の表示位置を表示部４２０の中央部付近に表示するようにしている。
【０１４４】
このように、プレビューウィンドウ１２１０の表示位置を特定して表示することで、操作位置が変動することがないので操作性の向上を図ることができる。
【０１４５】
（第５実施形態）
次に、本発明の第５実施形態について説明する。
図２６は本発明の第５実施形態に係るコンテンツ表示装置の電気的構成を示すブロック図、図２７は前記コンテンツ表示装置の表示部に表示されるプレビューウィンドウの表示状態の一例を示す説明図である。
【０１４６】
なお、第５実施形態のコンテンツ表示装置は、第１実施形態のコンテンツ表示装置と同様な構成を有するものであり、同様な構成を有するものは、同じ符号を付することで説明を省略する。
【０１４７】
第５実施形態のコンテンツ表示装置５０１は、図２６に示すように、制御部５１０と、表示部１２０と、タッチ検出部（入力検知部）１３０と、記憶部１４０と、を備えて構成されている。
【０１４８】
第５実施形態では、コンテンツ表示装置５０１の特徴的な構成として、制御部５１０の構成に、コンテンツ選択操作部５６０と、コンテンツ選択部１７０と、コンテンツ表示制御部１８０と、を備えたことを特徴としている。
【０１４９】
第５実施形態において、上述した実施形態と異なる点は、コンテンツ表示装置５０１の制御部５１０を構成するコンテンツ選択操作部５６０の構成として、第１実施形態のコンテンツ選択操作部の構成に加えて、さらに、プレビューウィンドウ表示サイズ設定部１６６を備えたことを特徴とすることにある。
【０１５０】
コンテンツ選択操作部５６０は、記憶部１４０に記憶された複数のコンテンツ情報に対してページ送りまたはページ戻し等の選択操作を行うためのものである。
【０１５１】
第５実施形態では、コンテンツ選択操作部５６０は、コンテンツ送り方向判定部１６１と、インジケータ表示部１６３とを備え、さらに、プレビューウィンドウ表示サイズ設定部１６６を備えている。
【０１５２】
プレビューウィンドウ表示サイズ設定部１６６は、表示部１２０に表示されるプレビューウィンドウ１２１０の大きさを設定する。
【０１５３】
プレビューウィンドウ表示サイズ設定部１６６は、例えば、表示画面１２１の大きさに応じて自動的にプレビューウィンドウ１２１０の表示サイズを設定するようにしてもよい。
【０１５４】
また、ユーザの操作する属性、例えば、操作する速さ、操作位置の高さに応じて自動的にプレビューウィンドウ１２１０の表示サイズを設定するようにしてもよい。
例えば、ユーザの操作するアクションが大きい場合は、図２７に示すように、プレビューウィンドウ１２１０の表示サイズを大きくしたり、ユーザの操作する速さがゆっくりの場合は、逆にプレビューウィンドウ１２１０の表示サイズを小さくしたりするようにしてもよい。
【０１５５】
以上のように構成したので、第５実施形態によれば、コンテンツ表示装置５０１において、制御部５１０を構成するコンテンツ選択操作部５６０の構成として、コンテンツ送り方向判定部１６１、プレビュー画像表示部１６２に加えて、さらに、プレビューウィンドウ表示サイズ設定部１６６を備えることで、表示画面１２１にプレビューウィンドウ１２１０を表示させる際に、ユーザの操作する属性（操作速度、操作するアクションなど）に応じてプレビューウィンドウ１２１０の表示サイズを設定することで、ユーザに応じて操作性の良いプレビューウィンドウ１２１０を表示させることができる。
【０１５６】
なお、プレビューウィンドウ１２１０の表示サイズの設定は、自動的であってもよく、手動で適宜設定するようにしてもよい。
【０１５７】
（第６実施形態）
次に、本発明の第６実施形態について説明する。
図２８は本発明の第６実施形態に係るコンテンツ表示装置の表示部に短く表示されるプレビューウィンドウの一例を示す説明図、図２９は前記コンテンツ表示装置の表示部に長く表示されるプレビューウィンドウの一例を示す説明図、図３０は前記コンテンツ表示装置の表示部に短く表示されるインジケータの一例を示す説明図、図３１は前記コンテンツ表示装置の表示部に長く表示されるインジケータの一例を示す説明図である。
【０１５８】
なお、第６実施形態のコンテンツ表示装置は、第１実施形態のコンテンツ表示装置と同様な構成を有するものであり、同様な構成を有するものは、同じ符号を付することで説明を省略する。
【０１５９】
第６実施形態では、コンテンツ表示装置６０１の特徴的な構成として、コンテンツ選択操作部の構成として、記憶部１４０に収容されたコンテンツの情報量（ページ数）に応じて、表示部１２０に表示されるプレビューウィンドウ１２１０またはインジケータ１２２０の表示領域が変化するように構成されることを特徴としている。
【０１６０】
コンテンツ表示装置６０１において、表示部１２０にプレビューウィンドウ１２１０が表示される場合、コンテンツのページ数が少ないときは、図２８に示すように、短いプレビューウィンドウ１２１０（Ｓ）が表示され、コンテンツのページ数が多いときは、図２９に示すように、長いプレビューウィンドウ１２１０（Ｌ）が表示される。
【０１６１】
また、表示部１２０にインジケータ１２２０が表示される場合、コンテンツのページ数が少ないときは、図３０に示すように、短いインジケータ１２２０（Ｓ）が表示され、コンテンツのページ数が多いときは、図３０に示すように、長いインジケータ１２２０（Ｌ）が表示される。
【０１６２】
以上のように構成したので、第６実施形態によれば、コンテンツ表示装置６０１において、表示部１２０にプレビューウィンドウ１２１０やインジケータ１２２０が表示されたときには、プレビューウィンドウ１２１０やインジケータ１２２０の表示領域の大きさ（長さ）によって、記憶部１４０に収容されたコンテンツの情報量（ページ数）の容量を確認できるので、コンテンツの情報量に応じてタッチ操作の操作速度等を調整して効率良いコンテンツの選択が可能になる。
【０１６３】
（第７実施形態）
次に、本発明の第７実施形態について説明する。
図３２は本発明の第７実施形態に係るコンテンツ表示装置のマルチディスプレイにおいて特定の表示部にプレビューウィンドウを表示する一例を示す説明図、図３３は前記コンテンツ表示装置のマルチディスプレイにおいて特定された位置にプレビューウィンドウを表示する変形例１を示す説明図、図３４は前記コンテンツ表示装置のマルチディスプレイにおいて特定された表示部にプレビューウィンドウを表示する変形例２を示す説明図である。
【０１６４】
なお、第７実施形態のコンテンツ表示装置は、第１実施形態のコンテンツ表示装置と同様な構成を有するものであり、同様な構成を有するものは、同じ符号を付することで説明を省略する。
【０１６５】
第７実施形態では、コンテンツ表示装置７０１の特徴的な構成として、複数の表示部１２０ａ，１２０ｂ，１２０ｃを備えたマルチディスプレイ７１２０で構成され、コンテンツ選択操作部の構成として、複数の表示部１２０ａ，１２０ｂ，１２０ｃのうちの特定された表示部にプレビューウィンドウ１２１０を表示することを特徴としている。
【０１６６】
第７実施形態では、図３２に示すように、ユーザがタッチ操作により表示部（ここでは、表示部１２０ａ）を特定することで、タッチ操作が検知された表示部１２０ａにおいて、タッチ操作された位置にプレビューウィンドウ１２１０が表示されるようになっている。
【０１６７】
以上のように構成したので、第７実施形態によれば、コンテンツ表示装置７０１が複数の表示部１２０ａ，１２０ｂ，１２０ｃにより構成されたマルチディスプレイ７１２０により構成されている場合でも、ユーザの所望する表示部をタッチ操作することでプレビューウィンドウ１２１０を当該表示部に表示することができるので、ユーザの操作し易い位置（表示部）でコンテンツを選択することが可能になる。
【０１６８】
なお、第７実施形態では、マルチディスプレイ７１２０においてプレビューウィンドウ１２１０を表示するようにしているが、プレビューウィンドウ１２１０に換えてインジケータ表示部を表示してもよい。
【０１６９】
（変形例１）
次に、第７実施形態のマルチディスプレイを備えたコンテンツ表示装置７０１において、特定された表示部１２０に表示されるプレビューウィンドウ１２１０の表示状態の変形例１について図面を参照して説明する。
【０１７０】
変形例１では、図３３に示すように、コンテンツ表示装置７０１のマルチディスプレイ７１２０において、例えば、ユーザのタッチ操作位置１２０ａ１が表示部１２０ａにおける表示部１２０ｂ寄りの位置であった場合は、ユーザのタッチ操作した位置に対応して表示されるプレビューウィンドウ１２１０が、タッチ操作した表示部１２０ａから隣接する表示部１２０ｂに亘り表示するようにされている。
【０１７１】
このように構成することで、変形例１によれば、マルチディスプレイ７１２０においてユーザの所望する位置にプレビューウィンドウ１２１０を表示することできるので、ユーザにとって最適な位置でコンテンツを選択することが可能になる。
【０１７２】
なお、変形例１では、マルチディスプレイ７１２０においてプレビューウィンドウ１２１０を表示するようにしているが、プレビューウィンドウ１２１０に換えてインジケータ表示部を表示してもよい。
【０１７３】
（変形例２）
次に、第７実施形態のマルチディスプレイを備えたコンテンツ表示装置７０１において、特定された表示部１２０に表示されるプレビューウィンドウ１２１０の表示状態の変形例２について図面を参照して説明する。
【０１７４】
変形例２では、図３４に示すように、コンテンツ表示装置７０１のマルチディスプレイ７１２０において、例えば、ユーザのタッチ操作位置１２０ａ２が表示部１２０ａにおける表示部１２０ｂに近い位置であった場合でも、変形例１のように、タッチ操作した表示部１２０ａから隣接する表示部１２０ｂに亘り表示することなく、タッチ操作した表示部１２０ａを特定して、表示部１２０ａ内にプレビューウィンドウ１２１０を表示するようにされている。
【０１７５】
このように構成することで、変形例２によれば、マルチディスプレイ７１２０においてユーザの所望する表示部１２０ａ内にプレビューウィンドウ１２１０全体を表示することできるので、ユーザの所望する位置でプレビューウィンドウ１２１０が操作し易い状態でコンテンツを選択することが可能になる。
【０１７６】
なお、変形例２では、マルチディスプレイ７１２０においてプレビューウィンドウ１２１０を表示するようにしているが、プレビューウィンドウ１２１０に換えてインジケータ表示部を表示してもよい。
【０１７７】
また、上述した実施形態や変形例では、プレビューウィンドウ１２１０やインジケータ１２２０を操作するユーザに対して横方向（左右方向）に表示しているが、本発明は、表示方向を限定するものではなく、縦方向（上下方向）に表示するものであってもよい。
【０１７８】
また、上述した実施形態や変形例では、表示画面に表示されるコンテンツをページ単位で表示するようにしているが、本発明は、ページ単位で構成されるコンテンツに限定されるものではなく、コンテンツが連続したデータで構成されるものであってもよい。
【０１７９】
また、上述した実施形態では、コンテンツ選択操作を行うものとして、コンテンツのプレビュー画像を操作するプレビューウィンドウ１２１０を例にあげて説明したが、プレビューウィンドウに限ることなく、例えば、画面操作を行う操作ウィンドウを表示するように発展させることもできる。
【０１８０】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１８１】
１，２０１，３０１，４０１，
５０１，６０１，７０１  コンテンツ表示装置（表示装置）
２  コンテンツ
１０１  筐体
１１０，２１０，３１０，４１０，５１０  制御部
１２０，４２０  表示部
１２１  表示画面
１３０  タッチ検出部（入力検知部）
１４０  記憶部
１５０  コンテンツ情報記憶部
１５１  コンテンツ情報
１５２  コンテンツ表示位置情報
１６０  コンテンツ選択操作部
１６１  コンテンツ送り方向判定部
１６２  プレビュー画像表示部
１６３  インジケータ表示部
１６４  縮小画像表示部
１６５  プレビューウィンドウ表示位置特定部
１６６  プレビューウィンドウ表示サイズ設定部
１７０  コンテンツ選択部
１８０，２８０，３８０  コンテンツ表示制御部
１８１  プレビュー画像特定表示部
１８２  コンテンツページ数表示部
１８３  縮小画像表示部
２６０，３６０，４６０，５６０  コンテンツ選択操作部
１２１０  プレビューウィンドウ（プレビュー画像表示部）
１２２０  インジケータ
１２２１  カーソル
１２３０  特定プレビュー画像表示部
７１２０  マルチディスプレイ
【図１】
0006785063.tif 000002
【図２】
0006785063.tif 000003
【図３】
0006785063.tif 000004
【図４】
0006785063.tif 000005
【図５】
0006785063.tif 000006
【図６】
0006785063.tif 000007
【図７】
0006785063.tif 000008
【図８】
0006785063.tif 000009
【図９】
0006785063.tif 000010
【図１０】
0006785063.tif 000011
【図１１】
0006785063.tif 000012
【図１２】
0006785063.tif 000013
【図１３】
0006785063.tif 000014
【図１４】
0006785063.tif 000015
【図１５】
0006785063.tif 000016
【図１６】
0006785063.tif 000017
【図１７】
0006785063.tif 000018
【図１８】
0006785063.tif 000019
【図１９】
0006785063.tif 000020
【図２０】
0006785063.tif 000021
【図２１】
0006785063.tif 000022
【図２２】
0006785063.tif 000023
【図２３】
0006785063.tif 000024
【図２４】
0006785063.tif 000025
【図２５】
0006785063.tif 000026
【図２６】
0006785063.tif 000027
【図２７】
0006785063.tif 000028
【図２８】
0006785063.tif 000029
【図２９】
0006785063.tif 000030
【図３０】
0006785063.tif 000031
【図３１】
0006785063.tif 000032
【図３２】
0006785063.tif 000033
【図３３】
0006785063.tif 000034
【図３４】
0006785063.tif 000035